(57)【要約】【課題】噴霧溶液を貯留するタンク（11）と、タンク（11）に連通するとともに噴霧溶液を霧化して噴霧するための噴霧ノズル（12）と、噴霧ノズル（12）の近傍に配置された電界調整用の接地電極（14）とを備えた静電噴霧装置において、電界調整用の接地電極（14）に付着した噴霧溶液から噴霧物質が析出するのをを防止する。【解決手段】接地電極（14）上に噴霧溶液が付着したときに噴霧溶液から噴霧物質が析出するのを抑制する析出抑制剤を含ませる。【選択図】図１
2008229541.tif 000002
【特許請求の範囲】
【請求項１】
噴霧物質を含む噴霧溶液を貯留するタンク（11）と、タンク（11）に連通するとともに上記噴霧溶液を霧化して噴霧するための噴霧ノズル（12）と、該噴霧ノズル（12）の近傍に配置された電界調整用の接地電極（14）とを備えた静電噴霧装置であって、
上記噴霧溶液には、接地電極（14）の表面に付着した噴霧溶液から噴霧物質が析出するのを抑制する析出抑制剤が含まれていることを特徴とする静電噴霧装置。
【請求項２】
請求項１において、
析出抑制剤は、噴霧溶液を液体状態に維持する液状維持剤であることを特徴とする静電噴霧装置。
【請求項３】
請求項２において、
液状維持剤を含む噴霧溶液の沸点が水及びアルコールの沸点より高いことを特徴とする静電噴霧装置。
【請求項４】
請求項２において、
液状維持剤を含む噴霧溶液の粘性が水及びアルコールの粘性より高いことを特徴とする静電噴霧装置。
【請求項５】
請求項２において、
析出抑制剤がプロピレングリコールであることを特徴とする静電噴霧装置。
【請求項６】
請求項２において、
析出抑制剤がグリセリンであることを特徴とする静電噴霧装置。
【請求項７】
請求項２において、
析出抑制剤がオリーブ油であることを特徴とする静電噴霧装置。
【請求項８】
請求項１において、
析出抑制剤は、空気中の水分を吸収して該水分に潮解する吸湿剤であることを特徴とする静電噴霧装置。
【請求項９】
請求項８において、
吸湿剤が塩化カルシウムであることを特徴とする静電噴霧装置。
【請求項１０】
請求項８において、
吸湿剤が炭化カリウムであることを特徴とする静電噴霧装置。
【請求項１１】
請求項８において、
吸湿剤がＬ−カルニチンであることを特徴とする静電噴霧装置。
【請求項１２】
請求項８において、
吸湿剤がクエン酸であることを特徴とする静電噴霧装置。
【請求項１３】
溶媒中に噴霧物質が含まれるとともに、噴霧ノズル（12）を備えた静電噴霧装置によって噴霧される噴霧溶液であって、
上記溶媒中には、噴霧物質が析出するのを抑制する析出抑制剤が含まれていることを特徴とする噴霧溶液。
【請求項１４】
請求項１３において、
析出抑制剤は、上記溶媒を液体状態に維持する液状態維持剤であることを特徴とする噴霧溶液。
【請求項１５】
請求項１３において、
析出抑制剤は、空気中の水分を吸収して該水分に潮解する吸湿剤であることを特徴とする噴霧溶液。
【発明の詳細な説明】
【技術分野】
【０００１】
本発明は、電界の不平等性を利用して噴霧ノズルの先端から噴霧溶液を噴霧する静電噴霧装置と、この静電噴霧装置に用いられる噴霧溶液とに関し、特に、電界調整用の接地電極に付着する噴霧溶液から噴霧物質が析出するのを防止する技術に関するものである。
【背景技術】
【０００２】
従来、図８に示すように、静電噴霧において噴霧ノズル（12）の近傍の電界強度を増強させるために、電界調整用の接地電極（14）を噴霧ノズル（12）の近傍に配置することがある。この場合、帯電した噴霧粒子が、図８の矢印Ａに示すようにクーロン力の作用を受けて接地電極（12）に吸引されてしまい、この接地電極（12）に付着することがある。これに対して、特許文献１には、リング状の接地電極を噴霧方向と反対側に配置することで、接地電極への噴霧溶液の付着を抑制するようにしている。
【特許文献１】特開２００６−２４７４５４号公報
【発明の開示】
【発明が解決しようとする課題】
【０００３】
このような配置にすると接地電極（12）への噴霧物質の付着速度を抑えることは可能であると考えられる。しかし、この場合でも、図９に示しているように、接地電極（14）に噴霧溶液が一旦付着して該噴霧溶液中の噴霧物質が固体として析出してしまうと電極間距離が短縮されることになるために、図１０のグラフに示すように付着量が加速度的に増大してしまうおそれがある。
【０００４】
これは、噴霧溶液は水溶液であるが、静電噴霧で形成される噴霧粒子径が１μｍ以下と非常に小さいために噴霧粒子中の液体成分の蒸発が常温、常圧であっても促進され、付着表面に対して電界に吸引されて付着すると噴霧物質が樹氷状に結合、結晶化するためと考えられる。
【０００５】
本発明は、かかる点に鑑みてなされたものであり、その目的は、静電噴霧装置において電界調整用の接地電極に噴霧物質が付着するのを防止することである。
【課題を解決するための手段】
【０００６】
第１の発明は、噴霧物質を含む噴霧溶液を貯留するタンク（11）と、タンク（11）に連通するとともに上記噴霧溶液を霧化して噴霧するための噴霧ノズル（12）と、該噴霧ノズル（12）の近傍に配置された電界調整用の接地電極（14）とを備えた静電噴霧装置を前提としている。
【０００７】
そして、この静電噴霧装置は、上記噴霧溶液に、接地電極（14）の表面に付着した噴霧溶液から噴霧物質が析出するのを抑制する析出抑制剤が含まれていることを特徴としている。
【０００８】
この第１の発明では、噴霧された噴霧溶液が電界調整用の接地電極（14）に付着しても、噴霧溶液中に析出抑制剤が含まれているため、接地電極（14）上に噴霧物質は析出しない。
【０００９】
第２の発明は、第１の発明において、析出抑制剤が、噴霧溶液を液体状態に維持する液状維持剤であることを特徴としている。
【００１０】
この第２の発明では、析出抑制剤として液状維持剤を用いたことにより、接地電極（14）の表面に付着した噴霧溶液が液体状態に維持される。したがって、設置電極上に噴霧物質が析出しない。
【００１１】
第３の発明は、第２の発明において、液状維持剤を含む噴霧溶液の沸点が水及びアルコールの沸点より高いことを特徴としている。
【００１２】
この第３の発明では、液状維持剤の沸点が水及びアルコールの沸点よりも高いため、溶液が蒸発しにくくなる。その結果、噴霧物質の析出を抑制できる。
【００１３】
第４の発明は、第２の発明において、液状維持剤を含む噴霧溶液の粘性が水及びアルコールの粘性より高いことを特徴としている。
【００１４】
この第４の発明では、液状維持剤の粘性が水及びアルコールの粘性よりも高いため、溶液が蒸発しにくくなる。その結果、噴霧物質の析出を抑制できる。
【００１５】
第５の発明は、第２の発明において、析出抑制剤がプロピレングリコールであることを特徴としている。
【００１６】
第６の発明は、第２の発明において、析出抑制剤がグリセリンであることを特徴としている。
【００１７】
第７の発明は、第２の発明において、析出抑制剤がオリーブ油であることを特徴としている。
【００１８】
これらの第５〜第７の発明では、溶液が蒸発しにくくなる結果、噴霧物質の析出を抑制できる。
【００１９】
第８の発明は、第１の発明において、析出抑制剤が、空気中の水分を吸収して該水分に潮解する吸湿剤であることを特徴としている。
【００２０】
この第８の発明では、析出抑制剤である吸湿剤が、空気中の水分を吸収して該水分に潮解することにより噴霧溶液が液体状態に維持される。その結果、噴霧物質の析出を抑制できる。
【００２１】
第９の発明は、第８の発明において、吸湿剤が塩化カルシウムであることを特徴としている。
【００２２】
第１０の発明は、第８の発明において、吸湿剤が炭化カリウムであることを特徴としている。
【００２３】
第１１の発明は、第８の発明において、吸湿剤がＬ−カルニチンであることを特徴としている。
【００２４】
第１２の発明は、第８の発明において、吸湿剤がクエン酸であることを特徴としている。
【００２５】
これらの第９〜第１２の発明では、噴霧溶液が液体状態に維持される結果、噴霧物質の析出を抑制できる。
【００２６】
第１３の発明は、溶媒中に噴霧物質が含まれるとともに、噴霧ノズル（12）を備えた静電噴霧装置によって噴霧される噴霧溶液を前提としている。
【００２７】
そして、この噴霧溶液は、上記溶媒中に、噴霧物質が析出するのを抑制する析出抑制剤が含まれていることを特徴としている。
【００２８】
第１４の発明は、第１３の発明において、析出抑制剤が、上記溶媒を液体状態に維持する液状態維持剤であることを特徴としている。
【００２９】
第１５の発明は、第１３の発明において、析出抑制剤が、空気中の水分を吸収して該水分に潮解する吸湿剤であることを特徴としている。
【００３０】
これらの第１３〜第１５の発明においても、第１〜第１２の発明と同様に、接地電極（14）上に噴霧物質は析出しない。
【発明の効果】
【００３１】
本発明によれば、噴霧溶液に、接地電極（14）の表面に付着した噴霧溶液から噴霧物質が析出するのを抑制する析出抑制剤を含ませているので、噴霧された噴霧溶液が電界調整用の接地電極（14）に付着しても、噴霧溶液中に析出抑制剤が含まれているため、接地電極（14）上に噴霧物質は析出しない。したがって、電極間距離が短縮されて付着量が加速度的に増大してしまうようなこともない。
【００３２】
上記第２の発明によれば、析出抑制剤として液状維持剤を用いたことにより、接地電極（14）の表面に付着した噴霧溶液を液体状態に維持することができるので、設置電極上に噴霧物質が析出するのを防止できる。
【００３３】
上記第３〜第７の発明によれば、液状維持剤によって溶液が蒸発しにくくなるので、噴霧物質の析出を抑制できる。
【００３４】
上記第８〜第１２の発明によれば、吸湿剤によって噴霧溶液が液体状態に維持されるので、噴霧物質の析出を抑制できる。
【００３５】
上記第１３〜第１５の発明によれば、第１〜第１２の発明と同様に、接地電極（14）上に噴霧物質が析出しないので、電極間距離が短縮されて付着量が加速度的に増大してしまうようなことを防止できる。
【発明を実施するための最良の形態】
【００３６】
以下、本発明の実施形態を図面に基づいて詳細に説明する。
【００３７】
《発明の実施形態１》
本発明の実施形態１について説明する。
【００３８】
この実施形態１の静電噴霧装置は、電界の不平等性を利用して噴霧溶液を噴霧するものである。図１に示すように、この静電噴霧装置（10）は、噴霧溶液を貯留するタンク（11）と、このタンク（11）内の空間に連通するように設けられた噴霧ノズル（12）と、この噴霧ノズル（12）に設けられている電極（図示していないノズル電極及び対向電極で、ノズル電極がプラス極側である）に高電圧を印加する電源（13）とを備えた静電噴霧器本体（13）を有している。噴霧ノズル（12）の電極に電圧を印加することにより、噴霧溶液が噴霧ノズル（12）の先端で霧化する。具体構造は省略しているが、噴霧溶液は、タンク（11）内から噴霧ノズル（12）の先端に向かって連続的に供給されるようになっている。
【００３９】
なお、静電噴霧器自体の構造は従来より知られたものであるため、ここでは具体構成についての説明は省略する。また、噴霧溶液は溶媒中に噴霧物質が溶解したものであり、人体に有益な物質の水溶液、例えばアミノ酸の一種であるテアニンの水溶液等を挙げることができる。
【００４０】
この静電噴霧装置（10）は、該噴霧ノズル（12）の近傍に配置された電界調整用の接地電極（14）を備えている。上記接地電極（14）は、静電噴霧において噴霧ノズル（12）の近傍の電界強度を増強させるために用いられるものであって、噴霧ノズル（12）から溶液が噴霧される方向とは異なる方向となる位置に配置されている。
【００４１】
ここで、ただ単に接地電極（14）を設けると、帯電した噴霧粒子が、図８の矢印Ａに示したようにクーロン力の作用を受けて電界調整用の接地電極（14）に吸引されて該接地電極（14）に付着して固化（析出）し、電極間距離が短縮するのに伴って付着量が加速度的に増大してしまう。そこで、本実施形態では、接地電極（14）の表面に付着した噴霧溶液の固化を抑制する固化抑制機構（15）が設けられている。具体的には、上記固化抑制機構（15）として、接地電極（14）の表面にを濡らす液供給機構（16）が設けられている。
【００４２】
また、本実施形態の噴霧溶液には、接地電極（14）の表面に付着した噴霧溶液から噴霧物質が析出するのを抑制する析出抑制剤が含まれている。この析出抑制剤としては、噴霧溶液を液体状態に維持する液状維持剤として、沸点が水及びアルコールの沸点より高いものや、粘性が水及びアルコールの粘性より高いものを用いることができる。具体的な材料としては、プロピレングリコール、グリセリン、オリーブ油などを挙げることができる。また、析出抑制剤としては、空気中の水分を吸収して該水分に潮解することにより液体状態を維持する吸湿剤を用いてもよい。この吸湿剤の具体的な材料としては、塩化カルシウム、炭化カリウム、Ｌ−カルニチン、クエン酸などを挙げることができる。
【００４３】
−運転動作−
静電噴霧装置（10）の電源（13）をオンにすると、ノズル電極と対向電極との間に電位差が与えられる。その結果、噴霧ノズル（12）の先端近傍に電界が形成される。そして、噴霧ノズル（12）の先端の噴霧溶液が分極化され、噴霧ノズル（12）の先端の気液界面近傍にプラスの電荷が集まる。噴霧ノズル（12）の先端では、気液界面が引き延ばされて円錐状となり、円錐状となった気液界面の頂部から一部の噴霧溶液が引きちぎられるようにして液滴化する。以上のようにして、噴霧ノズル（12）の先端からは電荷を帯びた噴霧溶液が噴射される。この噴霧溶液は、噴霧ノズル（12）の前方へ吹き出されて、室内へ供給される。
【００４４】
また、上述したように、噴霧溶液は、タンク（11）内から噴霧ノズル（12）の先端に向かって連続的に供給されるようになっている。そのため、タンク（11）内の噴霧溶液が常に噴霧ノズル（12）の先端で霧化して、連続的に室内へ噴霧される。
【００４５】
噴霧物質は、噴霧ノズル（12）の近傍に配置された電界調整用の接地電極（14）にクーロン力で引き寄せられ、該接地電極（14）に付着する。本実施形態では、噴霧溶液中に、析出抑制剤として、プロピレングリコール、グリセリン、オリーブ油などの液状維持剤を含ませたり、塩化カルシウム、炭化カリウム、Ｌ−カルニチン、クエン酸などの吸湿剤を含ませたりしているので、接地電極（14）上に噴霧物質が析出しなくなる。
【００４６】
また、接地電極（14）の表面に付着した噴霧溶液の固化を抑制する固化抑制機構（15）として、接地電極（14）の表面を塗らす液供給機構（16）が設けられているので、接地電極（14）の表面が濡れた状態に維持される。そのため、接地電極（14）の表面に噴霧溶液が付着しても、噴霧溶液から噴霧物質が析出して固化することを確実に防止できる。
【００４７】
−実施形態１の効果−
本実施形態によれば、噴霧溶液に、析出抑制剤として、プロピレングリコール、グリセリン、オリーブ油などの液状維持剤や、塩化カルシウム、炭化カリウム、Ｌ−カルニチン、クエン酸などの吸湿剤を含ませたことにより、設置電極上に噴霧物質が析出するのを防止できる。したがって、噴霧物質が析出すると電極間距離が短縮されて付着量が加速度的に増大してしまうのに対して、そのような問題を防止できる。
【００４８】
また、
接地電極（14）の表面に付着した噴霧溶液の固化を抑制する固化抑制機構（15）を設けたことにより、接地電極（14）の表面に噴霧溶液が付着しても、噴霧溶液から噴霧物質が析出して固化することをより確実に防止できる。
【００４９】
さらに、固化抑制機構（15）として、接地電極（14）の表面を濡らす液供給機構（16）を用いたことにより、接地電極（14）の表面が濡れた状態に維持される。したがって、接地電極（14）の表面に噴霧溶液が付着しても、噴霧溶液から噴霧物質が析出して固化することを確実に防止できる。
【００５０】
−実施形態１の変形例−
図１の例では、接地電極（14）の表面を濡らす液供給機構（16）を用いることによって設置電極上での噴霧物質の析出を防止するようにしているが、図２に示すように、接地電極（14）自体を導電性液体を用いて構成してもよい。この場合、接地電極（14）は、トレイ状の液体容器（17）と、この液体容器（17）内に貯留された導電性液体（18）とから構成することができる。
【００５１】
このようにしても、接地電極（14）の表面が常に濡れた状態に維持されるので、接地電極（14）に噴霧物質が引き寄せられても、接地電極（14）の表面で噴霧物質が析出してしまうことはない。
【００５２】
《発明の実施形態２》
本発明の実施形態２に係る静電噴霧装置（10）は、実施形態１の固化抑制機構（15）の代わりに、図３に示すように接地電極（14）の表面に付着した噴霧物質を除去する除去機構（19）と、この除去機構（19）を予め定められた時間間隔で間欠的に駆動する駆動機構（20）とを設けたものである。静電噴霧器本体（13）の構成自体は実施形態と同じである。
【００５３】
上記接地電極（14）は円盤状電極（14a）により形成されている。駆動機構（20）は、回転駆動部材である電動機（21）により構成され、この電動機（21）の出力軸に円盤状の接地電極（14）が固定されている。そして、電動機（21）を起動することにより、接地電極（14）が出力軸とともに回転するようになっている。
【００５４】
また、この静電噴霧装置（10）には、接地電極（14）に接触するように配置された噴霧物質除去部材（22）を備えている。この噴霧物質除去部材（22）は、接地電極（14）の回転中に該接地電極（14）を部分的に払拭するブラシ（23）により構成されている。
【００５５】
実施形態１と同様に、噴霧溶液には、接地電極（14）の表面に付着した噴霧溶液から噴霧物質が析出するのを抑制する析出抑制剤が含まれている。この析出抑制剤としては、噴霧溶液を液体状態に維持することにより噴霧物質の析出を防止する液状維持剤として、沸点が水及びアルコールの沸点より高いものや、粘性が水及びアルコールの粘性より高いものを用いることができる。具体的な材料としては、プロピレングリコール、グリセリン、オリーブ油などを挙げることができる。また、析出抑制剤としては、空気中の水分を吸収して該水分に潮解する吸湿剤を用いてもよい。この吸湿剤の具体的な材料としては、塩化カルシウム、炭化カリウム、Ｌ−カルニチン、クエン酸などを挙げることができる。これらの添加物としては、自体への付着、吸収を目的としているため、食品添加物等を用いることが好ましい。
【００５６】
−運転動作−
実施形態１と同様に、静電噴霧装置（10）の電源をオンにすると、ノズル電極と対向電極との間に電位差が与えられる。その結果、噴霧ノズル（12）の先端近傍に電界が形成される。そして、噴霧ノズル（12）の先端の噴霧溶液が分極化され、噴霧ノズル（12）の先端の気液界面近傍にプラスの電荷が集まる。噴霧ノズル（12）の先端では、気液界面が引き延ばされて円錐状となり、円錐状となった気液界面の頂部から一部の噴霧溶液が引きちぎられるようにして液滴化する。以上のようにして、噴霧ノズル（12）の先端からは電荷を帯びた噴霧溶液が噴射される。この噴霧溶液は、噴霧ノズル（12）の前方へ吹き出されて、室内へ供給される。
【００５７】
また、噴霧溶液は、タンク（11）内から噴霧ノズル（12）の先端に向かって連続的に供給されるようになっている。そのため、タンク（11）内の噴霧溶液が常に噴霧ノズル（12）の先端で霧化して、連続的に室内へ噴霧される。
【００５８】
噴霧物質は、噴霧ノズル（12）の近傍に配置された電界調整用の接地電極（14）にクーロン力で引き寄せられ、該接地電極（14）に付着する。本実施形態では、噴霧溶液中に、析出抑制剤として、プロピレングリコール、グリセリン、オリーブ油などの液状維持剤を含ませたり、塩化カルシウム、炭化カリウム、Ｌ−カルニチン、クエン酸などの吸湿剤を含ませたりしているので、接地電極（14）上に噴霧物質がより析出しなくなる。
【００５９】
また、接地電極（14）の表面に付着した噴霧溶液の固化を抑制する固化抑制機構（15）として、接地電極（14）の回転時に該接地電極（14）の表面を払拭するブラシ（23）（除去機構（19））を設けている。そのため、接地電極（14）の表面に噴霧溶液が付着して析出しても、その析出した噴霧物質を除去できる。
【００６０】
そして、上記除去機構（19）を間欠的に動作させるようにしているので、図４に示すように、接地電極（14）の表面上への噴霧物質の付着量が従来と比べて大幅に減少する。
【００６１】
−実施形態２の効果−
この実施形態２によれば、実施形態１と同様に、析出抑制剤として、プロピレングリコール、グリセリン、オリーブ油などの液状維持剤や、塩化カルシウム、炭化カリウム、Ｌ−カルニチン、クエン酸などの吸湿剤を用いることにより、設置電極上に噴霧物質が析出するのを確実に防止できる。
【００６２】
また、接地電極（14）の表面に付着した噴霧物質を除去する除去機構（19）を設けたことにより、接地電極（14）の表面に噴霧溶液が付着しても、除去機構（19）により噴霧物質を除去することができる。そのため、接地電極（14）の表面に噴霧物質が堆積するのを確実に防止できる。
【００６３】
また、静電噴霧装置（10）の運転中に、除去機構（19）を予め定められたタイミングで駆動機構（20）によって駆動するようにしているため、除去機構（19）の動作時に接地電極（14）の表面に噴霧物質が析出していても、除去機構（19）によって噴霧物質が除去され、付着量を大幅に低減できる。
【００６４】
さらに、接地電極（14）を回転させながらブラシ（23）で接地電極（14）の表面を払拭するだけで付着した噴霧物質を除去できるので、静電噴霧装置（10）の構成が複雑になるのも防止できる。
【００６５】
−実施形態２の変形例−
（第１変形例）
図３の例では接地電極（14）を円盤状電極（14a）により形成しているが、接地電極（14）は、図５に示すように不連続に配置された複数の突状電極（14b）によって構成してもよい。この場合でも、除去機構（19）としてブラシ（23）を用い、接地電極（14）を電動機（21）で間欠的に回転させることにより、接地電極（14）に付着した噴霧物質を効率よく除去できる。
【００６６】
（第２変形例）
図３や図５の例では除去機構（19）としてブラシ（23）を用いた構成を説明したが、ブラシ（23）の代わりに、図６に示すように接地電極（14）が部分的に浸漬される溶液を貯留した洗浄タンク（24）を用いてもよい。このようにすると、接地電極（14）を回転させれば、表面に付着した噴霧物質を溶液中に溶かし込むことができるので、接地電極（14）の表面における噴霧物質の付着量を減少させることが可能となる。
【００６７】
（第３変形例）
除去機構（19）としては、ブラシ（23）や洗浄タンク（24）を用いる代わりに、図７に示すように、接地電極（14）に向かって圧力空気を吹き付けて噴霧物質を吹き飛ばすエアーノズル（25）を用いて、エアブロー方式を採用してもよい。このようにしても、接地電極（14）の表面における噴霧物質の付着量を少なくすることができる。
【００６８】
《その他の実施形態》
上記各実施形態については、以下のような構成としてもよい。
【００６９】
例えば、上記実施形態では、接地電極（14）として円盤状電極（14a）や突起状電極（14b）を用いた例について説明したが、接地電極（14）の形状は適宜変更してもよい。
【００７０】
また、噴霧物質除去機構（19）は、ブラシ（23）や洗浄タンク（24）に限らず、その他の除去方式を採用したものにしてもよいし、必ずしも設けなくてもよい。
【００７１】
また、噴霧溶液は、実施形態で挙げたものに限らず、γ-アミノ酪酸（GABA）の水溶液を用いるなど、適宜変更してもよい。
【００７２】
なお、以上の実施形態は、本質的に好ましい例示であって、本発明、その適用物、あるいはその用途の範囲を制限することを意図するものではない。
【産業上の利用可能性】
【００７３】
以上説明したように、本発明は、電界の不平等性を利用して噴霧ノズルの先端から噴霧溶液を噴霧する静電噴霧装置であって電界調整用の接地電極を有するものについて有用である。
【図面の簡単な説明】
【００７４】
【図１】本発明の実施形態１に係る静電噴霧装置の構成図である。
【図２】実施形態１の変形例に係る静電噴霧装置の構成図である。
【図３】本発明の実施形態２に係る静電噴霧装置の構成図である。
【図４】噴霧物質の付着量を経時的に表すグラフである。
【図５】実施形態２の第１変形例に係る静電噴霧装置の構成図である。
【図６】実施形態２の第２変形例に係る静電噴霧蔵置の構成図である。
【図７】実施形態２の第３変形例に係る静電噴霧装置の構成図である。
【図８】従来の静電噴霧装置の構成図である。
【図９】従来の静電噴霧装置の問題を示す説明図である。
【図１０】噴霧物質の付着量を経時的に表すグラフである。
【符号の説明】
【００７５】
10  静電噴霧装置
12  噴霧ノズル
14  接地電極
【図１】
2008229541.tif 000003
【図２】
2008229541.tif 000004
【図３】
2008229541.tif 000005
【図４】
2008229541.tif 000006
【図５】
2008229541.tif 000007
【図６】
2008229541.tif 000008
【図７】
2008229541.tif 000009
【図８】
2008229541.tif 000010
【図９】
2008229541.tif 000011
【図１０】
2008229541.tif 000012